(57)【要約】【課題】デジタルテレビ放送受信システムにおいて、ユーザーの能動的な番組検索を支援すると共に、その検索結果の閲覧性向上を図る。【解決手段】番組情報が付随して送出されるテレビジョン放送波を受信し、番組そのもののデータと番組情報のデータとを個別に処理を行う入力制御装置と、番組情報データを表示させる画面データを作成するデータ表示画面生成装置と、これらの画面をマルチ画面表示するための表示制御装置と、を備え、検索画面および検索結果をマルチ画面表示する。【選択図】        図１
2004336415.tif 000002
【特許請求の範囲】
【請求項１】
ユーザーが能動的に番組検索を行うための支援装置であって、番組情報が付随して送出されるテレビジョン放送波を受信し、番組そのもののデータと番組情報のデータとを個別に処理を行う入力制御装置と、番組情報データを表示させる画面データを作成するデータ表示画面生成装置と、これらの画面をマルチ画面表示するための表示制御装置と、を備え、検索結果をマルチ画面表示することを特徴とするマルチ画面番組検索システム。
【請求項２】
スケーリング装置を備え、マルチ画面表示を行う際に表示画面をユーザーの所望の大きさに変倍することを特徴とした請求項１に記載のマルチ画面番組検索システム。
【請求項３】
テレビジョン放送を録画するＨＤＤ装置と、番組情報をアイコン化するアイコン生成装置と、を備え、検索結果をアイコン表示すると共に当該アイコンを選択することによって検索結果の視聴操作を容易にしたことを特徴とする請求項１または２に記載のマルチ画面番組検索システム。
【発明の詳細な説明】
【０００１】
【発明の属する技術分野】
本発明はデジタルテレビジョン放送を受信する受信装置に関するものである。
【０００２】
【従来の技術】
現在、テレビジョン放送のデジタル化が目前に迫ってきている。テレビジョン放送がデジタル化されると、従来、アナログでは数局に限られていたチャンネル数が飛躍的に増加することが可能となる。
【０００３】
チャンネル数が増えるということはユーザーにとってはそれだけ選局の巾が広がることになる。反面、ユーザーにとって所望のチャンネルを見つけにくくなるという問題点も発生してしまう。
【０００４】
こういった問題を解決するために、特開平１０−２４３３０９号公報「テレビジョン選局装置」に示されるように、番組情報からキーワードを抽出し、ユーザーの嗜好と合致する番組を選局する手法が開示されている。
【０００５】
また、さらには特開平１１−２６１９０８号公報「番組及び又は情報の選択支援装置」に示されるように、異なる放送方式の番組ガイド情報を統合的に扱ってキーワード検索を可能としたシステムも開示されている。
【０００６】
【発明が解決しようとする課題】
しかしながら、先に示した従来手法はいづれも番組の検索がユーザーにとっては受動的なものであり、ユーザーの意思により能動的に番組を検索する趣旨のものではなかった。
【０００７】
従来はエージェント機能などにより受信装置から自動でユーザーの好みの番組を検索し、提示することによってユーザーの検索の手間を省くことを目的としていた。
【０００８】
だが、実際にはユーザーの好みは随時変化するものであり、ユーザーがテレビジョン放送を視聴する場合、ユーザー自身が今現在見ている番組からキーワードを発想し能動的に所望のキーワードにより番組検索を行うという場合も多々想定できる。
【０００９】
また、さらには検索結果の表示方法にも問題があった。従来は検索結果のみを表示したり、検索結果中心の表示方法だったりして、今現在視聴している番組の視聴を少なからず妨げていた。
【００１０】
【課題を解決するための手段】
本発明はこの課題を解決するために考案されたものである。
【００１１】
番組情報が付随して送出されるテレビジョン放送波を受信し、番組そのもののデータと番組情報のデータとを個別に処理を行う入力制御装置と、番組情報データを表示させる画面データを作成するデータ表示画面生成装置と、これらの画面をマルチ画面表示するための表示制御装置と、を備えることを特徴とする。
【００１２】
このシステムにおいて、ユーザーの要求によりその時点で視聴している番組の番組情報のマルチ画面表示を行い、その番組情報表示画面からカーソル移動によりキーワード選択が行えるようにする。
【００１３】
これにより、容易にキーワード検索が可能なテレビジョン放送受信システムが構成できる。
【００１４】
さらには、検索結果の情報を順次、ハードディスクドライブ（以下ＨＤＤ）装置に蓄え、その情報をアイコン化してマルチ画面表示することにより、検索結果の閲覧性を容易にすることも可能である。
【００１５】
【発明の実施の形態】
本発明は例えば、以下の手順によりあらわすことが可能である。
１）番組視聴中に気になる情報があった。
２）あらかじめリモコンに設定されたピックアップキーを押下する。
３）番組情報を文字情報で表示する子画面が表示される。
４）文字情報中の１単語が反転表示される。
５）リモコンで操作することにより、反転表示された単語は順次、単語単位で移り変わる。ユーザーは所望の単語に反転表示が移った時点であらかじめリモコンに設定された決定キーを押下する。
６）受信装置は決定されたキーワードに合致する番組を他チャンネルから検索を行う。
７）キーワードに合致した番組をＨＤＤ装置に保存する。
８）保存した番組をアイコン化し、表示画面端に表示する。
９）ユーザーがそのアイコンを選択することによって保存した番組を視聴することが可能。
【００１６】
以下に上記手順に沿った本発明の実施例を図面を用いて説明する。
【００１７】
＜第１の実施例＞
図１は本発明の１実施例のシステム構成を表した図である。
【００１８】
１００はアンテナ、１０１は受信装置、１０２は入力制御装置、１０３はアイコン生成装置、１０４はＨＤＤ装置、１０５はスケーリング装置、１０６はデータ表示画面生成装置、１０７はリモコン、１０８は受光装置、１０９はキーコントロール制御装置、１１０は表示制御装置、１１１は表示装置を表している。
【００１９】
アンテナ１００はデジタル放送波を受信する。このとき送られてくるデジタル放送波は番組画像データと、ＥＰＧ（電子プログラムガイド）と呼ばれるその番組の情報データとに分類できる。
【００２０】
受信装置１０１はデジタル放送波を受信すると、この番組画像データと番組情報データを分類し、入力制御装置１０２に送る。
【００２１】
入力制御装置１０２はそれぞれのデータを確保し、番組画像データはスケーリング装置１０５に、番組情報データはデータ表示画面生成装置１０６に、各々送られる。
【００２２】
スケーリング装置１０５はユーザーの任意の大きさに画像の拡大・縮小を行う。任意の大きさに変倍された画像データは表示制御装置１１０を介して表示装置１１１に送られ画像表示される。
【００２３】
一方、データ表示画面生成装置１０６は送られてきた番組データ情報を元に番組データの表示画面情報を生成する。このときのフォントサイズや画面の大きさ等はユーザーの任意で予め設定可能であるものとする。このようにして生成された番組データの表示画面情報は表示制御装置１１０に送られる。
【００２４】
表示制御装置１１０はユーザーのリクエストにより番組情報を表示させる場合にのみ、番組画像情報と番組データの表示画面情報を合成し合成画面情報を生成し、表示装置１１１に送る。
【００２５】
図２は合成画面の表示例を表した図である。
【００２６】
２０１は第１の表示画面、２０２はインジケータ部、２０３は番組データ表示部、２０４はアイコン表示部を表している。
【００２７】
全体の表示画面は第１の表示画面２０１とインジケータ部２０２に分かれている。さらにインジケータ部２０２は番組データ表示部２０３とアイコン表示部２０４に分かれている。
【００２８】
第１の表示画面２０１は通常、ユーザーがテレビジョン放送を視聴する画面であり、インジケータ部２０２を表示しない場合にはこの第１の表示画面２０１が全画面表示されることになる。
【００２９】
このときの表示装置１１１は１６：９のハイビジョン対応表示画面であり、ＨＤ放送に対してはそのままの比率で表示する。また、従来のＳＤ放送に対しては横に拡大したフル画面表示か、横方向に枠をつけた等比率表示か、をユーザーが選択できるものとする。
【００３０】
ユーザーからの所望の操作によりインジケータ部２０２が表示され、それに伴い第１の表示画面２０１は全画面表示から図２に示すような縮小表示に切り替えられる。
【００３１】
このときの第１の表示画面２０１は４：３の表示画面であり、インジケータ部２０２は１６：９の表示領域に４：３の表示を行った場合の残りの部分に表示するようにする。
【００３２】
第１の表示画面２０１に表示する画像がＳＤ放送ならば４：３の等比率表示が行われる。また、ＨＤ放送ならば上下に枠をつけた等比率表示か、横方向を縮小した縮小画面表示か、をユーザーが選択可能であるとする。
【００３３】
ユーザーのキーコントロールはリモコン１０７によって行われる。
【００３４】
図３は本発明によるマルチ画面番組検索システムを搭載したテレビジョン放送受信装置のリモコンの一例を示した図である。
【００３５】
３０１は発光部、３０２はテンキー、３０３はカーソルキー、３０４はピックアップキーを表している。
【００３６】
発光部３０１はユーザーがリモコン１０７のキーを押下した情報を光データに変換し受光部１０８に送る。
【００３７】
テンキー３０２はチャンネルの番号入力を行う場合に用いられる。
【００３８】
カーソルキー３０３は通常は音量のＵＰ／ＤＯＷＮやチャンネルのＵＰ／ＤＯＷＮ操作に用いられる。
【００３９】
ピックアップキー３０４はユーザーが番組視聴中に気になる情報があった場合に押下するキーである。このピックアップキー３０４が押下されると図２に示すインジケータ部２０２が表示される。
【００４０】
この時、図１の受光装置１０８はリモコン１０７からの指示を受け、そのコマンドをキーコントロール制御装置１０９に送る。
【００４１】
キーコントロール制御装置１０９は入力制御装置１０２に「ピックアップキーが押下された」という情報を伝える。またそれと同時にデータ表示画面生成装置１０６に対しても同様の情報を伝える。
【００４２】
入力制御装置１０２は直ちにその時点での番組情報を確保し、その番組情報データをデータ表示画面生成装置１０６に送る。
【００４３】
データ表示画面生成装置１０６はキーコントロール制御装置１０９からの情報を元に図２に示すインジケータ部２０２の画面準備を行う。さらに入力制御装置１０２の情報を元に番組データ表示画面を作成し、図２に示す番組データ表示部２０３に表示する。
【００４４】
図４は番組データ表示画面の一例を示した図である。
【００４５】
図４ではデータ情報がその番組のジャンル、タイトル、出演者で構成される３つの情報の場合を表している。いま、図４ではジャンルの構成要素のところにカーソルがあっているため、その部分が網掛け表示されている。通常、ピックアップキー３０４を最初に押下した状態ではこのような画面が図２に示すインジケータ部２０２中の番組データ表示部２０３に表示される。
【００４６】
ここで、ユーザーが図３のカーソルキー３０３を押下することによって、ユーザーの所望の位置に網掛けで表されるカーソルを移動することが可能となっている。
【００４７】
この時のカーソル移動はキーワードとなる単語ごとに移動が可能であるとする。
【００４８】
この時の図１中での動作は、受光装置１０８が命令を受け、キーコントロール制御装置１０９を介してデータ表示画面生成装置１０６に伝えられる、ここでユーザーのキー入力に対応した画面情報が生成される。
【００４９】
次に、ユーザーが所望の位置にカーソルを移動したら、再度ピックアップキー３０４を押下する。すると、検索キーワードが選択されその情報がキーコントロール制御装置１０９に伝えられる。
【００５０】
キーコントロール制御装置は決定したキーワードを入力制御装置１０２に伝える。
【００５１】
入力制御装置１０２は受信装置１０１をコントロールして決定したキーワードに合致する他チャンネルの番組情報を検索する。
【００５２】
次に、キーワード検索の結果としてキーワードに合致する情報がみつかると、入力制御装置１０２は合致したキーワードを持つ番組情報と、その番組情報に対応する番組画像データをＨＤＤ装置１０４に蓄える。
【００５３】
またこの時の動作状況はアイコン生成装置１０３によって生成されるアイコンが図２のアイコン表示部２０４に表示されることにより逐一、ユーザーに伝えられる。
【００５４】
この時のインジケータ部２０２の画面表示例を図５に示す。
【００５５】
図５はインジケータ部のみを描いた図である。図面上半分は番組データ表示部５０３をあらわし、図面下半分はアイコン表示部５０４をあらわしている。
【００５６】
番組データ表示部５０３は図２の２０３に等しく、アイコン表示部５０４は図２の２０４に等しいものを表している。
【００５７】
図５では上部番組データ表示部５０３で出演者の第１項「×川○子」が選択されており、それを表すためにそのキーワードが網掛け表示されている。
【００５８】
また下部のアイコン表示部５０４では５つのキーワード検索結果がアイコン表示されている様子を表している。
【００５９】
このときのアイコンは検索結果の番組ジャンルと、その検索結果に対するシステムの処理状況を表している。処理状況は「録画済み」「録画中」「録画予約」の３つに分けられる。
【００６０】
これらの２種類の情報は絵や色分けなどにより視覚的にユーザーにわかりやすいように表示される。
【００６１】
こうしてアイコン表示された検索結果情報は再びピックアップキー３０４やカーソルキー３０３を用いたユーザー操作により選択可能である。
【００６２】
選択された情報は番組データ表示部５０３に詳細表示される。
【００６３】
ユーザーは詳細表示を見てその番組を視聴するかどうかを選択することが可能である。
【００６４】
＜第２の実施例＞
図６は本発明の第２の実施例における表示画面を表した図である。
【００６５】
６０１は第１の表示画面、６０２は番組データ表示部、６０３はアイコン表示部を表している。
【００６６】
第１の表示画面６０１はユーザーが通常視聴する画面を表している。通常、ユーザーがテレビジョン放送を視聴している場合は番組データ表示部６０２もアイコン表示部６０３も表示されない。
【００６７】
ここで、先に図３で示したピックアップキー３０４をユーザーが押下することにより番組データ表示部６０２が開かれ、その番組の情報がここに表示される。
【００６８】
番組データ表示部６０２は第１の表示画面６０１に重ね合わせて表示される。このときの表示枠の形状やサイズはユーザーによりあらかじめ設定可能であり、第１の表示画面６０１の視聴の妨げにならない位置に表示される。
【００６９】
次に第１の実施例と同様に検索を開始するとその結果がアイコンとしてアイコン表示部６０３の位置に表示される。
【００７０】
アイコン表示部６０３は枠を持たず、検索結果のアイコンのみが第１の表示画面６０１に重なって表示される。これにより、第１の表示画面６０１の画像を極力損なわないようにして検索結果を表示することが可能となる。
【００７１】
【発明の効果】
このようにして、ユーザーの能動的発意により番組検索が可能であり、簡易にキーワード選択が可能なシステムが構成できる。さらには現在視聴している番組の視聴を極力妨げない形での検索結果の閲覧が容易になる。
【図面の簡単な説明】
【図１】本発明によるシステム構成図。
【図２】第１の実施例における画面構成例。
【図３】リモコンの一例。
【図４】番組データ表示部の表示例。
【図５】インジケータ部の表示例。
【図６】第２の実施例における画面構成例。
【符号の説明】
１００  アンテナ
１０１  受信装置
１０２  入力制御装置
１０３  アイコン生成装置
１０４  ＨＤＤ装置
１０５  スケーリング装置
１０６  データ表示画面生成装置
１０７  リモコン
１０８  受光装置
１０９  キーコントロール制御装置
１１０  表示制御装置
１１１  表示装置
２０１  第１の表示画面
２０２  インジケータ部
２０３  番組データ表示部
２０４  アイコン表示部
３０１  発光部
３０２  テンキー
３０３  カーソルキー
３０４  ピックアップキー
５０３  番組データ表示部
５０４  アイコン表示部
６０１  第１の表示画面
６０２  番組データ表示部
６０３アイコン表示部
【図１】
2004336415.tif 000003
【図２】
2004336415.tif 000004
【図３】
2004336415.tif 000005
【図４】
2004336415.tif 000006
【図５】
2004336415.tif 000007
【図６】
2004336415.tif 000008